(57)【要約】      （修正有）【課題】安全性を加味した使用勝手の良好なテープホルダーを提供する。【解決手段】テープホルダーは、ベース１と、ベースに設けられ、テープＴ１を支持するテープ支持部と、テープを切断するカッター５１と、ベースに設けられ、カッターを支持するカッター支持部６１と、ベースに対向する位置にある対向部材２と、対向部材とベースを接続する接続部材３と、対向部材に設けられ、折曲自在なヒンジ部７１とを備え、不使用時は、対向部材を正面とした正面視と、カッターの刃先が対向部材により覆われ、ベースを正面とした正面視において、カッターの刃先がベースにより覆われ、使用時には、ヒンジ部を介して対向部材を外側に折曲してカッター支持部に支持されたカッターの刃先を露出させるものである。【選択図】図９
0003231906.tif 000002
【実用新案登録請求の範囲】
【請求項１】
ベースと、
このベースに設けられ、テープを支持するテープ支持部と、
前記テープを切断するカッターと、
前記ベースに設けられ、前記カッターを支持するカッター支持部と、
前記ベースに対向する位置にある対向部材と、
この対向部材と前記ベースを接続する接続部材と、
前記対向部材に設けられ、折曲自在なヒンジ部とを備え、
不使用時、前記対向部材を正面とした正面視、前記カッターの刃先が前記対向部材により覆われ、前記ベースを正面とした正面視、前記カッターの刃先が前記ベースにより覆われるものであり、
使用時、前記ヒンジ部を介して前記対向部材を外側に折曲して前記カッター支持部に支持された前記カッターの刃先を露出させる
ことを特徴とするテープホルダー。
【請求項２】
ベースと、
このベースに設けられ、第１のテープを支持する第１のテープ支持部と、
前記ベースに設けられ、第２のテープを支持する第２のテープ支持部と、
前記第１のテープを切断する第１のカッターと、
前記第２のテープを切断する第２のカッターと、
前記ベースに設けられ、前記第１のカッターを支持する第１のカッター支持部と、
前記ベースに設けられ、前記第２のカッターを支持する第２のカッター支持部と、
前記ベースに対向する位置にある対向部材と、
この対向部材と前記ベースを接続する接続部材と、
前記対向部材に設けられ、折曲自在なヒンジ部とを備え、
前記第１のテープ支持部は、前記第２のテープ支持部に並設し、
前記第１のカッター支持部は、前記第２のカッター支持部に並設し、
前記第１のテープ支持部は、前記第１のカッター支持部より前記接続部材に近い側に位置し、
前記第２のテープ支持部は、前記第２のカッター支持部より前記接続部材に近い側に位置し、
不使用時、前記対向部材を前記第１のカッター支持部に第１のカッター支持部係止手段により、前記対向部材を前記第２のカッター支持部に第２のカッター支持部係止手段により、それぞれ係止させ、
不使用時、前記対向部材を正面とした正面視、前記第１のカッターの刃先及び前記第２のカッターの刃先が前記対向部材により覆われ、前記ベースを正面とした正面視、前記第１のカッターの刃先及び前記第２のカッターの刃先が前記ベースにより覆われるものであり、
使用時、前記ヒンジ部を介して前記対向部材を外側に折曲して前記第１のカッターの刃先及び前記第２のカッターの刃先を露出させる
ことを特徴とするテープホルダー。
【請求項３】
対向部材に設けられた対向部材側係止部材と、カッター支持部に設けられ、前記対向部材側係止部材に係止されるカッター支持部側被係止部材とを有する
カッター支持部係止手段を備えている
ことを特徴とする請求項１記載のテープホルダー。
【請求項４】
対向部材に設けられた第１の対向部材側係止部材と、第１のカッター支持部に設けられ、前記第１の対向部材側係止部材に係止される第１のカッター支持部側被係止部材とを有する第１のカッター支持部係止手段を少なくとも一つ備えている
ことを特徴とする請求項２記載のテープホルダー。
【請求項５】
対向部材とベースとの間隔が広がらないように前記対向部材と前記ベースを挟持する挟持部材を備えている
ことを特徴とする請求項１又は請求項２記載のテープホルダー。
【請求項６】
カッター支持部に前記カッター支持部の一方側の端部に一方側カッターと前記カッター支持部の他方側の端部に他方側カッターとを備えている
ことを特徴とする請求項１記載のテープホルダー。
【請求項７】
第１のカッター支持部に前記第１のカッター支持部の一方側の端部に第１の一方側カッターと前記第１のカッター支持部の他方側の端部に第１の他方側カッターとを備え、
第２のカッター支持部に前記第２のカッター支持部の一方側の端部に第２の一方側カッターと前記第２のカッター支持部の他方側の端部に第２の他方側カッターとを備えている
ことを特徴とする請求項２記載のテープホルダー。
【請求項８】
ベースと接続部材と対向部材を平面視、コ字状の状態で載置面に載置して立設する
ことを特徴とする請求項１又は請求項２記載のテープホルダー。
【請求項９】
支持部に支持されたテープの対向する接続部材の位置の外表面の部位に前記テープと同一の色のラベルを付着させる
ことを特徴とする請求項１記載のテープホルダー。
【請求項１０】
第１の支持部に支持された第１のテープの対向する接続部材の位置の外表面の部位に前記第１のテープと同一の色のラベルを、
第２の支持部に支持された第２のテープの対向する前記接続部材の位置の外表面の部位に前記第２のテープと同一の色のラベルを、それぞれ付着させる
ことを特徴とする請求項２記載のテープホルダー。
【請求項１１】
対向部材とベースとの間隔が広がらないように前記対向部材と前記ベースを挟持する挟持部材を備え、
カッターが単数の場合、前記挟持部材は、カッターの刃先に対向する位置にあり、
前記カッターが第１、第２のカッターが複数の場合、前記挟持部材は、複数の前記第１、第２のカッターの内、何れか一つの前記カッターの刃先に対向する位置にある
ことを特徴とする請求項１又は請求項２記載のテープホルダー。
【請求項１２】
カッターとカッター支持部とテープとテープ支持部とが、それぞれ、少なくとも、二つあり、
前記カッターが第１のカッターで、第１のテープが前記第１のカッターで切断される場合、
前記挟持部材に前記第１のテープと同一の色のラベルを付着させるか、又は、前記挟持部材の素材の色を前記第１のテープと同一の色にするかであり、
前記カッターが第２のカッターで、第２のテープが前記第２のカッターで切断される場合、
前記挟持部材に前記第２のテープと同一の色のラベルを付着させるか、又は、前記挟持部材の素材の色を前記第２のテープと同一の色にするかである
ことを特徴とする請求項１１記載のテープホルダー。
【考案の詳細な説明】
【技術分野】
【０００１】
本考案は、テープホルダーに係り、特に、安全性を加味した使用勝手の良好なテープホルダーに関する。
【背景技術】
【０００２】
従来、 マスキングテープを出し入れ自在に収納し、周壁にマスキングテープの引き出し口と、この引き出し口の近傍に位置するカッターとを設けたケース本体の一方側面に磁石を取り付けたマスキングテープのカッターケースがある(特許文献１参照)。
【先行技術文献】
【特許文献】
【０００３】
【特許文献１】特開２０００−１５３９５１
【考案の概要】
【考案が解決しようとする課題】
【０００４】
しかしながら、上記マスキングテープのカッターケースにあっては、マスキングテープをカッターで切断した後は、カッターがむき出しの状態にあるため、安全性の面で良好でないという問題点が生じた。
【０００５】
本考案は、上記の問題点を考慮してなされたテープホルダーを提供することにある。
【課題を解決するための手段】
【０００６】
請求項１記載のテープホルダーは、ベースと、このベースに設けられ、テープを支持するテープ支持部と、前記テープを切断するカッターと、前記ベースに設けられ、前記カッターを支持するカッター支持部と、前記ベースに対向する位置にある対向部材と、この対向部材と前記ベースを接続する接続部材と、前記対向部材に設けられ、折曲自在なヒンジ部とを備え、不使用時、前記対向部材を正面とした正面視、前記カッターの刃先が前記対向部材により覆われ、前記ベースを正面とした正面視、前記カッターの刃先が前記ベースにより覆われるものであり、使用時、前記ヒンジ部を介して前記対向部材を外側に折曲して前記カッター支持部に支持された前記カッターの刃先を露出させるものである。
【０００７】
また、請求項２記載のテープホルダーは、ベースと、このベースに設けられ、第１のテープを支持する第１のテープ支持部と、前記ベースに設けられ、第２のテープを支持する第２のテープ支持部と、前記第１のテープを切断する第１のカッターと、前記第２のテープを切断する第２のカッターと、前記ベースに設けられ、前記第１のカッターを支持する第１のカッター支持部と、前記ベースに設けられ、前記第２のカッターを支持する第２のカッター支持部と、前記ベースに対向する位置にある対向部材と、この対向部材と前記ベースを接続する接続部材と、前記対向部材に設けられ、折曲自在なヒンジ部とを備え、前記第１のテープ支持部は、前記第２のテープ支持部に並設し、前記第１のカッター支持部は、前記第２のカッター支持部に並設し、前記第１のテープ支持部は、前記第１のカッター支持部より前記接続部材に近い側に位置し、前記第２のテープ支持部は、前記第２のカッター支持部より前記接続部材に近い側に位置し、不使用時、前記対向部材を前記第１のカッター支持部に第１のカッター支持部係止手段により、前記対向部材を前記第２のカッター支持部に第２のカッター支持部係止手段により、それぞれ係止させ、不使用時、前記対向部材を正面とした正面視、前記第１のカッターの刃先及び前記第２のカッターの刃先が前記対向部材により覆われ、前記ベースを正面とした正面視、前記第１のカッターの刃先及び前記第２のカッターの刃先が前記ベースにより覆われるものであり、使用時、前記ヒンジ部を介して前記対向部材を外側に折曲して前記第１のカッターの刃先及び前記第２のカッターの刃先を露出させるものである。
【０００８】
また、請求項３記載のテープホルダーは、請求項１記載のテープホルダーにおいて、対向部材に設けられた対向部材側係止部材と、カッター支持部に設けられ、前記対向部材側係止部材に係止されるカッター支持部側被係止部材とを有するカッター支持部係止手段を備えているものである。
【０００９】
また、請求項４記載のテープホルダーは、請求項２記載のテープホルダーにおいて、対向部材に設けられた第１の対向部材側係止部材と、第１のカッター支持部に設けられ、前記第１の対向部材側係止部材に係止される第１のカッター支持部側被係止部材とを有する第１のカッター支持部係止手段を少なくとも一つ備えているものである。
【００１０】
また、請求項５記載のテープホルダーは、請求項１又は請求項２記載のテープホルダーにおいて、対向部材とベースとの間隔が広がらないように前記対向部材と前記ベースを挟持する挟持部材を備えているものである。
【００１１】
また、請求項６記載のテープホルダーは、請求項１記載のテープホルダーにおいて、カッター支持部に前記カッター支持部の一方側の端部に一方側カッターと前記カッター支持部の他方側の端部に他方側カッターとを備えているものである。
【００１２】
また、請求項７記載のテープホルダーは、請求項２記載のテープホルダーにおいて、第１のカッター支持部に前記第１のカッター支持部の一方側の端部に第１の一方側カッターと前記第１のカッター支持部の他方側の端部に第１の他方側カッターとを備え、第２のカッター支持部に前記第２のカッター支持部の一方側の端部に第２の一方側カッターと前記第２のカッター支持部の他方側の端部に第２の他方側カッターとを備えているものである。
【００１３】
また、請求項８記載のテープホルダーは、請求項１又は請求項２記載のテープホルダーにおいて、ベースと接続部材と対向部材を平面視、コ字状の状態で載置面に載置して立設するものである。
【００１４】
また、請求項９記載のテープホルダーは、請求項１記載のテープホルダーにおいて、支持部に支持されたテープの対向する接続部材の位置の外表面の部位に前記テープと同一の色のラベルを付着させるものである。
ことを特徴とする請求項１記載のテープホルダー。
【００１５】
また、請求項１０記載のテープホルダーは、請求項２記載のテープホルダーにおいて、第１の支持部に支持された第１のテープの対向する接続部材の位置の外表面の部位に前記第１のテープと同一の色のラベルを、第２の支持部に支持された第２のテープの対向する前記接続部材の位置の外表面の部位に前記第２のテープと同一の色のラベルを、それぞれ付着させるものである。
【００１６】
また、請求項１１記載のテープホルダーは、請求項１又は請求項２記載のテープホルダーにおいて、対向部材とベースとの間隔が広がらないように前記対向部材と前記ベースを挟持する挟持部材を備え、カッターが単数の場合、前記挟持部材は、カッターの刃先に対向する位置にあり、前記カッターが第１、第２のカッターが複数の場合、前記挟持部材は、複数の前記第１、第２のカッターの内、何れか一つの前記カッターの刃先に対向する位置にある。
【００１７】
また、請求項１２記載のテープホルダーは、請求項２記載のテープホルダーにおいて、カッターとカッター支持部とテープとテープ支持部とが、それぞれ、少なくとも、二つあり、前記カッターが第１のカッターで、第１のテープが前記第１のカッターで切断される場合、前記挟持部材に前記第１のテープと同一の色のラベルを付着させるか、又は、前記挟持部材の素材の色を前記第１のテープと同一の色にするかであり、前記カッターが第２のカッターで、第２のテープが前記第２のカッターで切断される場合、前記挟持部材に前記第２のテープと同一の色のラベルを付着させるか、又は、前記挟持部材の素材の色を前記第２のテープと同一の色にするかである。
【考案の効果】
【００１８】
請求項１記載のテープホルダーによれば、使用時、ヒンジ部を介して対向部材を外側に折曲してカッター支持部に支持されたカッターを露出させることができるため、一方の手でテープホルダを持ち、他方の手でテープ支持部に支持されたテープを繰り出し、必要な長さにカッターで切断でき、不使用時、対向部材を正面とした正面視、カッターの刃先が対向部材により覆われ、ベースを正面とした正面視、カッターの刃先がベースにより覆われるものであるため、常時、カッターを露出させたものに比べ、安全に使用することができる。
【００１９】
また、請求項２記載のテープホルダーによれば、使用時、ヒンジ部を介して対向部材を外側に折曲して第１、第２のカッター支持部に支持された第１、第２のカッターを露出させることができるため、一方の手でテープホルダを持ち、他方の手でテープ支持部に支持された第１、第２のテープを繰り出し、必要な長さに第１、第２のカッターで切断でき、不使用時、対向部材を正面とした正面視、第１のカッターの刃先及び第２のカッターの刃先が対向部材により覆われ、ベースを正面とした正面視、第１のカッターの刃先及び第２のカッターの刃先が前記ベースにより覆われるものであり、常時、第１、第２のカッターを露出させたものに比べ、安全に使用することができると共に、第１のテープ支持部は、第２のテープ支持部に並設し、第１のカッター支持部は、第２のカッター支持部に並設し、第１のテープ支持部は、第１のカッター支持部より接続部材に近い側に位置し、第２のテープ支持部は、第２のカッター支持部より接続部材に近い側に位置しているため、第１、第２のテープを効率良く収納して、収納性を高めることができる。
【００２０】
また、請求項３記載のテープホルダーによれば、上述した請求項１記載の考案の効果に加え、カッター支持部係止手段により、対向部材をベースに係止させることができる。
【００２１】
また、請求項４記載のテープホルダーによれば、上述した請求項２記載の考案の効果に加え、対向部材に設けられた第１の対向部材側係止部材と、第１のカッター支持部に設けられ、前記第１の対向部材側係止部材に係止される第１のカッター支持部側被係止部材とを有する第１のカッター支持部係止手段を少なくとも一つ備えているため、対向部材をベースに係止させることができる。
【００２２】
また、請求項５記載のテープホルダーによれば、上述した請求項１又は請求項２記載の考案の効果に加え、対向部材とベースとの間隔が広がらないように前記対向部材と前記ベースを挟持する挟持部材を備えているため、対向部材をベースに係止させることができる。
【００２３】
また、請求項６記載のテープホルダーによれば、上述した請求項１記載の考案の効果に加え、左手でテープホルダーを持ち、カッター支持部に支持されたテープを右手で把持し、右手で把持したテープを一方側カッターに向かって切断でき、また、逆に、右手でテープホルダーを持ち、カッター支持部に支持されたテープを左手で把持し、左手で把持したテープを他方側カッターに向かって切断でき、右利き、左利きに対応することができる。
【００２４】
また、請求項７記載のテープホルダーによれば、上述した請求項２記載の考案の効果に加え、左手でテープホルダーを持ち、第１のカッター支持部に支持された第１のテープを右手で把持し、右手で把持した第１のテープを第１の一方側カッターに向かって切断でき、また、第２のカッター支持部に支持された第２のテープを右手で把持し、右手で把持した第２のテープを第２の一方側カッターに向かって切断でき、また、逆に、右手でテープホルダーを持ち、第１のカッター支持部に支持された第１のテープを左手で把持し、左手で把持した第１のテープを第１の他方側カッターに向かって切断でき、また、第２のカッター支持部に支持された第２のテープを左手で把持し、左手で把持した第２のテープを第２の他方側カッターに向かって切断でき、右利き、左利きに対応することができる。
【００２５】
また、請求項８記載のテープホルダーによれば、上述した請求項１又は請求項２記載の考案の効果に加え、ベースと接続部材と対向部材を平面視、コ字状の状態で載置面に載置して立設するため、テープホルダーを縦型にコンパクトに収納して、収納性を高めることができる。
【００２６】
また、請求項９記載のテープホルダーによれば、上述した請求項１記載の考案の効果に加え、支持部に支持されたテープの対向する接続部材の位置の外表面の部位に前記テープと同一の色のラベルを付着させるため、接続部材を背表紙に利用してラベリングでき、使用勝手を向上させることができる。
【００２７】
また、請求項１０記載のテープホルダーによれば、上述した請求項２記載の考案の効果に加え、第１の支持部に支持された第１のテープの対向する接続部材の位置の外表面の部位に前記第１のテープと同一の色のラベルを、第２の支持部に支持された第２のテープの対向する前記接続部材の位置の外表面の部位に前記第２のテープと同一の色のラベルを、それぞれ付着させるため、接続部材を背表紙に利用してラベリングでき、使用勝手を向上させることができる。
【００２８】
また、請求項１１記載のテープホルダーによれば、上述した請求項１又は請求項２記載の考案の効果に加え、挟持部材により、対向部材とベースとの間隔が広がらないようにすることができる。
【００２９】
また、請求項１２記載のテープホルダーによれば、挟持部材により、対向部材とベースとの間隔が広がらないようにすることができ、しかも、カッターとカッター支持部とテープとテープ支持部とが、それぞれ、少なくとも、二つあり、前記カッターが第１のカッターで、第１のテープが前記第１のカッターで切断される場合、前記挟持部材に前記第１のテープと同一の色のラベルを付着させるか、又は、前記挟持部材の素材の色を前記第１のテープと同一の色にするかであり、前記カッターが第２のカッターで、第２のテープが前記第２のカッターで切断される場合、前記挟持部材に前記第２のテープと同一の色のラベルを付着させるか、又は、前記挟持部材の素材の色を前記第２のテープと同一の色にするかであるため、外部より、テープの色を認識でき、使用勝手を向上させることができる。
【図面の簡単な説明】
【００３０】
【図１】図１は、本考案の一実施例のテープホルダーを斜め上方から見た概略的斜視図の３Ｄ画像である。
【図２】図２は、図１のテープホルダーの概略的平面図の３Ｄ画像である。
【図３】図３は、図１のテープホルダーを展開した状態を示す３Ｄ画像である。
【図４】図４は、図１のテープホルダーの概略的右側面の３Ｄ画像である。
【図５】図５は、図４のＡ−Ａの概略的断面図の３Ｄ画像である。
【図６】図６は、図１のテープホルダーの概略的正面図の３Ｄ画像である。
【図７】図７は、図６のＢ−Ｂの概略的断面図の３Ｄ画像である。
【図８】図８は、図１のテープホルダーにテープを収納し、対向部材を開いた状態を示す概略的図である。
【図９】図９は、図８のテープホルダーの使用状態を示す概略的図である。
【図１０】図１０は、図１のテープホルダーを載置面に載置して立設した状態を示す概略的図である。
【図１１】図１１は、図１のテープホルダーのベースと対向部材の広がりを防止する手段と異なる他の実施例の３Ｄ画像である。
【考案を実施するための形態】
【００３１】
本考案の一実施例のテープホルダーを図１乃至図１０を参照して説明する。
図1に示すＨは、テープ（例えば、マスキングテープ）を装着するテープホルダーで、テープホルダーＨは、例えば、合成樹脂で形成され、ベース１と、ベース１に対向する位置にある対向部材２と、この対向部材２とベース１を接続する接続部材３とを有する。
そして、図１、図２に示すように、ベース１と接続部材３と対向部材２を平面視、コ字状の状態で載置面１００に載置して立設でき、テープホルダーＨを縦型にコンパクトに収納して、収納性を高めることができる（図１０参照）。
【００３２】
ベース１には、第１のテープＴ１を支持する第１のテープ支持部４１、第２のテープＴ２を支持する第２のテープ支持部４２、第３のテープＴ３を支持する第３のテープ支持部４３が設けられている。なお、図示では、第１のテープ支持部４１に第１のテープＴ１を支持するようにしたが、第１のテープＴ１のテープの幅が1／2のものにあっては、第１のテープ支持部４１にテープを２個並設するようにしても良い。
５１は第１のテープＴ１を切断する第１のカッター、５２は第２のテープＴ２を切断する第２のカッター、５３は第３のテープＴ３を切断する第１のカッターである。
【００３３】
また、ベース１には、第１のカッター５１を支持する第１のカッター支持部６１、第２のカッター５２を支持する第２カッター支持部６２、第３のカッター５３を支持する第３のカッター支持部６３が設けられている。
なお、図６に示すように、第１のカッター支持部６１に第１のカッター支持部６１の一方側の端部に第１の一方側カッター５１０と第１のカッター支持部６１の他方側の端部に第１の他方側カッター５１１とを備え、また、第２のカッター支持部６２に第２のカッター支持部６２の一方側の端部に第２の一方側カッター５２０と第２のカッター支持部６２の他方側の端部に第２の他方側カッター５２１とを備え、また、第３のカッター支持部６３に第３のカッター支持部６３の一方側の端部に第３の一方側カッター５３０と第３のカッター支持部６３の他方側の端部に第３の他方側カッター５３１とを備えている。
即ち、図９にお示すように、左手でテープホルダーＨを持ち、第１のカッター支持部６１に支持された第１のテープＴ１を右手で把持し、右手で把持した第１のテープＴ１を第１の一方側カッター５１０に向かって切断でき、また、
第２のカッター支持部６２に支持された第２のテープＴ２を右手で把持し、右手で把持した第２のテープＴ２を第２の一方側カッター５２０に向かって切断でき、また、第３のカッター支持部６３に支持された第３のテープＴ３を右手で把持し、右手で把持した第３のテープＴ３を第３の一方側カッター５３０に向かって切断でき、逆に、図示しないが、右手でテープホルダーＨを持ち、第１のカッター支持部６１に支持された第１のテープＴ１を左手で把持し、左手で把持した第１のテープＴ１を第１の他方側カッター５１１に向かって切断でき、また、第２のカッター支持部６２に支持された第２のテープＴ２を左手で把持し、左手で把持した第２のテープＴ２を第２の他方側カッター５２１に向かって切断でき、また、第３のカッター支持部６３に支持された第３のテープＴ３を左手で把持し、左手で把持した第３のテープＴ３を第３の他方側カッター５３１に向かって切断でき、右利き、左利きに対応することができる。
【００３４】
また、対向部材３には、折曲自在なヒンジ部７１が設けられている。
７２は、接続部材３とベース１との境部に設けた折曲自在なヒンジ部であり、７３は、接続部材３と対向部材２との境部に設けた折曲自在なヒンジ部である。
【００３５】
そして、図３に示すように、第１のテープ支持部４１は、第２のテープ支持部４２、第３のテープ支持部４３に並設し、第１のカッター支持部６１は、第２のカッター支持部６２、第３のカッター支持部６３に並設し、第１のテープ支持部４１は、第１のカッター支持部６１より接続部材３に近い側に位置し、第２のテープ支持部４２は、第２のカッター支持部６２より接続部材３に近い側に位置し、第３のテープ支持部４３は、第３のカッター支持部６３より接続部材３に近い側に位置している。
【００３６】
不使用時、図１０に示すように、対向部材２をカッター支持部（例えば、第２のカッター支持部６２）にカッター支持部係止手段８により係止させる。
カッター支持部係止手段８は、例えば、対向部材２に設けられ第１の対向部材側係止部材８１と、第１のカッター支持部６１に設けられ、第１の対向部材側係止部材８１に係止される第１のカッター支持部側被係止部材８１’とを有するものであり、対向部材２に設けられ第２の対向部材側係止部材８２と、第２のカッター支持部６２に設けられ、第２の対向部材側係止部材８２に係止される第２のカッター支持部側被係止部材８２’とを有するものであり、対向部材２に設けられ第３の対向部材側係止部材８３と、第３のカッター支持部６３に設けられ、第３の対向部材側係止部材８３に係止される第３のカッター支持部側被係止部材８３’とを有するものである。
使用時、図９に示すように、カッター支持部係止手段８を解除して、ヒンジ部７１を介して対向部材２を外側に折曲して第１のカッター支持部６１に支持された第１のカッター５１、第２のカッター支持部６２に支持された第２のカッター５２、第３のカッター支持部６３に支持された第３のカッター５３を露出させるようにしている。
そのため、一方の手（例えば、左手）でテープホルダＨを持ち、他方の手（例えば、右手）でテープ支持部４１、４２、４３に支持された第１、第２、第３のテープＴ１、Ｔ２、Ｔ３を繰り出し、必要な長さに第１、第２、第３のカッター５１，５２、５３で切断でき、常時、カッターを露出させたものに比べ、安全に使用することができると共に、第１のテープ支持部４１は第２のテープ支持部４２に、第２のテープ支持部４２は第３のテープ支持部４３にそれぞれ並設し、第１のカッター支持部６１は第２のカッター支持部６２に、第２のカッター支持部６２は第３のカッター支持部６３に、それぞれ並設し、第１のテープ支持部４１は、第１のカッター支持部６１より接続部材３に近い側に位置し、第２のテープ支持部４２は、第２のカッター支持部６２より接続部材３に近い側に位置し、第３のテープ支持部４３は、第３のカッター支持部６３より接続部材３に近い側に位置しているため、第１、第２、第３のテープＴ１、Ｔ２、Ｔ３を効率良く収納して、収納性を高めることができる。
【００３７】
また、図１０に示すように、第１の支持部４１に支持された第１のテープＴ１の対向する接続部材２の位置の外表面の部位に第１のテープＴ１と同一の色のラベル（例えば、黄色）を、第２の支持部４２に支持された第２のテープＴ２の対向する接続部材２の位置の外表面の部位に第２のテープＴ２と同一の色のラベル（例えば、空色）を、第３の支持部４３支持された第３のテープＴ３の対向する接続部材２の位置の外表面の部位に第３のテープＴ３と同一の色のラベル（例えば、赤色）を、それぞれ付着させる。
そのため、接続部材２を背表紙に利用してラベリングでき、使用勝手を向上させることができる。
【００３８】
なお、本実施例においては、テープ支持部４１、４２、４３、カッター５１、５２、５３、カッター支持部６１、６２、６３と設けたが、本考案にあっては、これに限らず、複数の場合、少なくとも、テープ支持部４１、４２、カッター５１、５２、カッター支持部６１、６２と設けても良く、場合により、テープ支持部４１、カッター５１、カッター支持部６１と単数としても良い。
【００３９】
テープ支持部４１、カッター５１、カッター支持部６１が単数の場合のテープホルダーＨは、ベース１と、このベース１に設けられ、テープＴ１を支持するテープ支持部４１と、テープＴ１を切断するカッター５１と、ベース１に設けられ、カッター５１を支持するカッター支持部６１と、ベース１に対向する位置にある対向部材２と、この対向部材２とベース１を接続する接続部材３と、対向部材２に設けられ、折曲自在なヒンジ部７１とを備え、不使用時、対向部材２をカッター支持部６１にカッター支持部係止手段８により係止させ、使用時、カッター支持部係止手段８を解除して、ヒンジ部７１を介して対向部材２を外側に折曲してカッター支持部６１に支持されたカッター５１を露出させるものである。
このテープホルダーＨによれば、上述したテープホルダーＨと同様、使用時、ヒンジ部７１を介して対向部材２を外側に折曲してカッター支持部６１に支持されたカッター５１を露出させることができるため、一方の手でテープホルダーＨを持ち、他方の手でテープ支持部４１に支持されたテープＴ１を繰り出し、必要な長さにカッター５１で切断でき、常時、カッター５１を露出させたものに比べ、安全に使用することができる。
【００４０】
なお、図１１は、図１のテープホルダーＨのベース１と対向部材２の広がりを防止する手段と異なる他の実施例の３Ｄ画像で、図１１に示す２００は、対向部材２とベース１との間隔が広がらないように対向部材２とベース１を挟持する挟持部材で、カッターが第１、第２のカッター５１、５２が複数の場合、挟持部材２００は、複数の第１、第２のカッター５１、５２の内、何れか一つのカッターの刃先に対向する位置にある（本実施例では、第２のカッター５２）。
。なお、カッターが単数の場合、挟持部材２００は、カッターの刃先に対向する位置にある。そのため、対向部材２とベース１との間隔が広がり防止と刃先の保護と刃先による手等の保護を図ることができる。
その際、カッターとカッター支持部とテープとテープ支持部とが、それぞれ、少なくとも、二つあり、
前記カッターが第１のカッター５１で、第１のテープＴ１が第１のカッター５１で切断される場合、挟持部材２００の素材の色を第１のテープＴ１と同一の色にするか、又は、挟持部材２００に第１のテープＴ１と同一の色のラベルを付着させるかであり、
前記カッターが第２のカッター５２で、第２のテープＴ２が第２のカッター５２で切断される場合、挟持部材２００の素材の色（本実施例では、例えば、赤色）を第２のテープＴ２と同一の色（本実施例では、例えば、赤色）にするか、又は、挟持部材２００に第２のテープＴ２と同一の色のラベルを付着させるある。そのため、外部より、テープの色を認識でき、使用勝手を向上させることができる。
【符号の説明】
【００４１】
Ｈ      テープホルダー
１      ベース
２      対向部材
３       接続部材
４１    テープ支持部
５１    カッター
６１     カッター支持部
７１    ヒンジ部
Ｔ１    テープ
【図１】
0003231906.tif 000003
【図２】
0003231906.tif 000004
【図３】
0003231906.tif 000005
【図４】
0003231906.tif 000006
【図５】
0003231906.tif 000007
【図６】
0003231906.tif 000008
【図７】
0003231906.tif 000009
【図８】
0003231906.tif 000010
【図９】
0003231906.tif 000011
【図１０】
0003231906.tif 000012
【図１１】
0003231906.tif 000013